(57)【要約】【課題】  転写具を転写対象面に対してスライド移動させる転写作業時に、そのスライド進行方向に直交する方向に対しては、支持箇所が滑って蛇行し易く、転写対象面に対して直線的に転写物を転写することが困難となっている。【解決手段】  転写具ケースの内部に繰出コアと巻取コアが配置され、前記繰出コアから繰り出された転写テープを転写ヘッドを介して巻取コアに巻回させた転写具であって、前記転写具ケースに、前記転写テープの転写方向と直行する方向への移動を抑制する抑制手段を配置し、その抑制手段を転写対象面に接触させた転写具。【選択図】  図１
2011073182.tif 000002
【特許請求の範囲】
【請求項１】
転写具ケースの内部に繰出コアと巻取コアが配置され、前記繰出コアから繰り出された転写テープを転写ヘッドを介して巻取コアに巻回させた転写具であって、前記転写具ケースに、前記転写テープの転写方向と直行する方向への移動を抑制する抑制手段を配置し、その抑制手段を転写対象面に接触させた転写具。
【請求項２】
前記転写具ケースに、転写テープの転写方向と直行する方向に回転軸芯を有する回転体を配置した請求項１記載の転写具。
【請求項３】
前記転写具ケースに、突起を形成すると共に、その突起の転写テープの転写方向の長さを、転写方向と直行する方向の長さよりも長く形成した請求項１記載の転写具。
【発明の詳細な説明】
【技術分野】
【０００１】
本発明は、転写具ケースに、基材の表面に転写塗膜を備えた転写テープを巻き付けた繰出コアと、その繰出コアから繰出された転写テープを基材の裏面側から被転写面に押圧して、前記転写塗膜を被転写面に転写する転写ヘッドと、前記繰出しコアから引出され、前記転写ヘッド先端を経た基材を巻き取る巻取コアとを備えてなる塗膜転写具に関する。
その塗膜転写具の転写物としては、粘着テープや粘着性を有しないテープ等のテープ類、固体又は液体のり、接着剤等が挙げられる。
【背景技術】
【０００２】
塗膜転写具として多く知られているのは、修正テープであり、その修正テープには、筆記した線や文字などを隠ぺいする塗膜が基材テープ上に付着し、転写対象面に対して転写が可能なものとなっている。
従来から、使用者が前記の転写具を手に持って転写作業を行う際には、転写対象面に対して転写ヘッドの先端のみが接触しており、使用者が手に持った転写具は、転写対象面から上方に浮いた状態となっている。その際、使用者は手指の感覚のみで転写具を保持した状態で、転写対象面に対して転写ヘッドを押し付けるとともに、その転写具を転写する方向に向かって移動させる力を加えていることになる。そのため、修正テープを正確に紙面に転写するには、転写具の進行方向とそれに直交する方向への力をバランスよく転写具から転写ヘッドの先端に伝えなければならないが、上述のように転写ヘッドの先端のみが紙面に接触していることから、このバランスを上手くとることが極めて難しい。すなわち、使用者が転写具に加える力が弱ければ修正テープ（塗膜）が紙面に転写されないので、使用者は必要以上に力を掛けて転写作業を行いがちである。しかし、その力が強ければ転写作業中に転写テープ（塗膜）が切れやすくなり、場合によっては、転写具の破損を招来しかねない。このような不具合は、種々の転写物を転写するための転写具全般について共通する問題である。
【０００３】
そこで、転写物を転写対象面に対して軽い力で適切に転写することを主たる目的として、特開２００５−６７１５３号公報に記載されたような転写具が考えられている。
前記特開２００５−６７１５３号公報に記載された転写具は、転写対象面に転写される転写物と、この転写物を保持するホルダと、該ホルダに支持されて転写物を保持するとともに外部へ送り出す送出部とを備え、使用者が前記ホルダを手に持って転写対象面に対してスライド移動させる際に、転写対象面に接触して転写物を転写対象面に転写する転写ヘッドを前記送出部に形成したものであって、この転写ヘッドを転写対象面に接触させて転写物を転写する際に、転写対象面と接触する接地部をホルダに少なくとも２カ所形成していることを特徴とするものである。
このような転写具であれば、使用者がホルダを手に持って転写対象面に対してスライド移動させながら転写物を転写対象面に転写する際に、転写ヘッドに加えてホルダに形成した複数の接地部も転写対象面に接触することになる。すなわち、転写作業時における転写具の支持箇所が３箇所以上となるため、転写具は、これら３箇所以上の接触部位を全ての面で支持させた状態で使用することができ、ホルダに加えた力も転写ヘッドに偏ることなく各接地部にも分散させることができる。そのため、転写具を転写対象面に対してスライド移動させる転写作業時には、そのスライド進行方向とそれに直交する方向への両方の力のバランスを取ることができる。その結果、転写ヘッドを転写対象面に対して適正に接触させることができることから、軽い力でホルダを押さえて使用しても、転写物を転写対象面に確実に転写することができ、転写ヘッド等の破損も防ぐことができる。
【特許文献１】特開２００５−６７１５３号公報。
【発明の概要】
【発明が解決しようとする課題】
【０００４】
しかしながら、特開２００５−６７１５３号公報に記載された従来技術では、転写時において、転写対象面に接触する支持箇所が３箇所となり、特にホルダに形成した支持箇所は転写対象面に対して点接触となっている。
つまり、上記構成であると、転写具を転写対象面に対してスライド移動させる転写作業時に、そのスライド進行方向に直交する方向に対しては、支持箇所が滑って蛇行し易く、転写対象面に対して直線的に転写物を転写することが困難となっている。
そこで、本発明は以上のような問題に鑑みて、転写物を転写対象面に対して直線的に転写することができる転写具を提供することを主たる目的としている。
【課題を解決するための手段】
【０００５】
すなわち、本願発明は、転写具ケースの内部に繰出コアと巻取コアが配置され、前記繰出コアから繰り出された転写テープを転写ヘッドを介して巻取コアに巻回させた転写具であって、前記転写具ケースに、前記転写テープの転写方向と直行する方向への移動を抑制する抑制手段を配置し、その抑制手段を転写対象面に接触させた転写具にある。
【発明の効果】
【０００６】
以上に記述したように、本発明は、転写具ケースの内部に繰出コアと巻取コアが配置され、前記繰出コアから繰り出された転写テープを転写ヘッドを介して巻取コアに巻回させた転写具であって、前記転写具ケースに、前記転写テープの転写方向と直行する方向への移動を抑制する抑制手段を配置し、その抑制手段を転写対象面に接触させたので、転写作業時は、転写方向と直交する方向への移動が抑制されることとなり、もって、直線状の塗膜転写の動作、並びに、塗膜面が得られる。
【図面の簡単な説明】
【０００７】
【図１】本発明の第１実施例の構成を示す分解斜視図。
【図２】本発明の第1実施例のスライドボタン、転写具ケース上部、巻取コア、繰出コア、転写テープ、転写ヘッド、転写具ケース下部を示す外観斜視図。
【図３】本発明の第1実施例の転写ヘッド突出状態を示す転写具の外観斜視図。
【図４】本発明の第1実施例に関わる転写ヘッドが転写具ケース内より突出した状態における転写塗膜の位置を示す構成図。
【図５】本発明の第1実施例に関わる転写ヘッドが転写具ケース内に収納された状態における転写塗膜の位置を示す構成図。
【図６】本発明の第１実施例の回転体の変形例を示す構成図。
【図７】本発明の第２実施例の構成を示す分解斜視図。
【図８】本発明の第２実施例の構成を示す側面図。
【図９】図８の底面図。
【図１０】本発明の第３実施例の構成を示す側面図。
【図１１】図１０の底面図。
【図１２】本発明の第４実施例の構成を示す外観斜視図。
【図１３】本発明の第５実施例の構成を示す外観図。
【図１４】本発明の第５実施例の回転機構部に関する図１２のＡ−Ａ断面図。
【図１５】本発明の第５実施例の構成を示す外観斜視図。
【発明を実施するための形態】
【０００８】
図１、図２、図３の図面に基づき第１実施形態の塗膜転写具の構成について説明する。転写具ケース１は転写具ケース下部１０と転写具ケース上部２０より構成されている。前記転写具ケース下部１０は、前壁１０ａ、後壁１０ｂ、右壁１０ｃ、左壁１０ｄと底壁１０ｅを有する有底の箱形状を成している。また、転写具ケース下部１０内の中央部には、突出した回転軸１０ｆが立設されており、巻取コア３０がその回転軸１０ｆに軸支されている。その前記巻取コア３０は、円筒形状を成しており、転写具ケース下部１０の底壁１０ｅ近傍の円筒部側面には、半月状の円筒部材であるスリップ部３０ａが側面に沿って放射状に形成されている。
更に、前記巻取コア３０の上部には、繰出コア４０より繰出された転写テープＴを巻取る巻取り部３０ｂが、円筒状に形成されている。その巻取り部３０ｂの下部とスリップ部３０ａ上部の間には、前記巻取り部３０ｂの外径より大な円柱部材３０ｃが形成されている。その円柱部材３０ｃの上面であって、巻取り部３０ｂ下部には、弾性変形が可能な係合部３０ｄが形成されており、転写具ケース上部２０の底壁２０ｅに形成された放射状溝２０ｌと係脱可能に係合している。尚、前記係合部３０ｄは、円柱部材に「コ」字型の溝３０ｅを円弧状に形成することによって、円弧状の係合部３０ｄとしており、その係合部３０ｄの先端には係合爪３０ｆが形成されている。その係合爪３０ｆは、円柱部材の上面から突出した状態で形成されており、前記放射状溝２０ｌに係脱可能に係合している。
一方、繰出コア４０は、円筒形状を成しており、その高さは転写テープＴの幅よりも大きく設計されている。また、繰出コア４０の内側は、前記スリップ部３０ａの側面に圧接された状態で嵌合されている。これにより、繰出コア４０は摩擦抵抗を付与された状態で回転自在に軸支され、繰出コア４０のスリップ部３０ａに対する回転方向への摩擦抵抗が付与されると共に、お互いが組み付けられ、また、分解が防止されている。尚、繰出コア４０の外側面には、転写テープＴが巻き付けられている。
【０００９】
転写具ケース下部１０の底壁１０ｅにあって、左壁１０ｃの両角側の２隅には、組み付け部１０ｇ、１０ｈが円柱状に形成されている。また、前壁１０ａにあって、右壁１０ｃの近傍には、ケース下部開口部１０ｊが、長方形状に貫通穴として空いている。そのケース下部開口部１０ｊの右壁１０ｃ近傍の側面と反対の側面には、並行な壁と壁が転写具ケース下部１０の右壁１０ｃに沿って中央付近まで形成され、ガイドレール１０ｋとガイドレール１０ｌとなっている。尚、転写具ケース下部１０の底壁１０ｅにあって、前壁１０ａ側のガイドレール１０ｌよりも左壁側には、組み付け部１０ｉが円柱状に形成されている。また、ガイドレール１０ｋ、１０ｌの向かい合う壁の上部近傍には、ガイド溝１０ｍ、１０ｎが貫通穴として各々空いている。
前記転写具ケース下部１０の底壁１０ｅであって、回転軸１０ｆより右壁１０ｃ側方向で、ガイドレール１０ｌの外側近傍には、テープ走行経路固定変更部材１０ｏが円柱状に立設されている。また、ローラー５０は円筒形状を成しており、その内径はテープ走行経路固定変更部材１０ｏの外径より大であり、テープ走行経路固定変更部材１０ｏに軸支され、回転自在としている。
そして、前記転写具ケース下部１０と転写具ケース上部２０を組み付けた際の転写具ケース下部１０の外観底面にあって、右壁１０ｃ、左壁１０ｄの側面の中央部から前壁１０ａにかけて、平行な壁１０ｐ、１０ｑが立設されている。その平行な壁１０ｐ、１０ｑの前壁１０ａ側の下方には、回転体６０を軸支するための回転軸支部１０ｒ、１０ｓが各々、貫通穴として開いている。前記回転体６０は円柱形状の回転接地部６０ａを成しており、回転接地部６０ａの両端には、前記回転軸支部１０ｒ、１０ｓ軸支される直径が回転軸支部１０ｒ、１０ｓより小である回転軸６０ｂ、６０ｃが形成されている。また、回転体６０は、回転軸６０ｂ、６０ｃが回転軸支部１０ｒ、１０ｓに軸支されているため、回転自在となっている。
【００１０】
回転体６０について、さらに詳述する。回転体６０の回転接地部６０ａの長さは、転写具ケース１の平行な壁１０ｐと平行な壁１０ｑにより挟まれた幅であり、転写具ケース１の幅とほぼ同等の長さを有していると共に、回転体６０の回転接地部６０ａの直径は、少なくとも転写具ケース１の幅よりも小さく形成されている。また、回転体６０は、転写対象面に接地させた際に初めて回転するが、その回転方向は転写する方向にのみ回転するため、スムーズな転写作業を行うことができる。尚、転写する方向と直交する方向に対しては回転する事がないので、その直交方向への移動が阻止される。つまり、直行する方向に力が作用したとしても、接地面から常に摩擦力を受け続けているため、その移動が阻止されるのである。
尚、本実施では、回転体６０は硬質部材を用いている。しかし、図６に示すように転写対象面と接触する部分の回転接地部６０ａの表面Ｈに、例えばシリコーンゴムのようなゴム状弾性体を被覆させても良い。ここで、回転接地部６０ａは、その接地部が硬質部材でも軟質部材であっても良いが、転写荷重により弾性変形して転写対象面に対して接地面積が増加するため、軟質部材である方がより好ましい。一方、回転体６０は、下ケース１０の回転軸支部１０ｒ、１０ｓに回転軸６０ｂ、６０ｃが回転自在に軸支されて回転するため、硬質部材である方が好ましく、かつ、摺動し易い材質で形成するのが好ましい。
尚、転写具ケース下部１０の底壁１０ｅにあって、後壁１０ｂと右壁１０ｃで成される角部には、引張りばね設置部１０ｔが円柱形状をなして配設されている。
【００１１】
前記転写具ケース上部２０は、前壁２０ａ、後壁２０ｂ、右壁２０ｃ、左壁２０ｄと底壁２０ｅを有する有底の箱形状を成しており、転写具ケース下部２０と同形状の底面を有している。また、転写具ケース上部２０の底壁２０ｅには、組み付け部２０ｇ、２０ｈ、２０ｉが円筒形状に形成されており、転写具ケース下部１０の組み付け部１０ｇ、１０ｈ、１０ｉと嵌合可能としている。同様に、組み付け部２０ｆと組み付け部２０ｊも円筒形状を成しており、回転軸１０ｆと嵌合可能な組み付け部２０ｆ、テープ走行経路固定変更部材１０ｏと嵌合可能な組み付け部２０ｊとなっている。また、転写具ケース上部２０であって、組み付け部２０ｆの外径より大の内径を持つ逆転防止部材２０ｋが回転軸を中心として円筒形状に形成されており、その上部には、放射状の溝２０ｌが形成されている。さらに、転写具ケース上部２０には、転写具ケース下部１０と同様の個所に、ケース上部開口部２０ｍが形成されている。その前記ケース上部開口部２０ｍと前記ケース下部開口部１０ｊによってケース開口部２が形成される。
また、転写具ケース上部２０の天面にあって、ケース開口部２近傍、右壁２０ｃの近傍には、ボタンガイド溝２０ｎが長方形状の溝として後壁２０ｂ近傍まで形成されている。そのボタンガイド溝２０ｎには、転写ヘッドガイド穴２０ｏが前壁２０ａ近傍から後方に向けて形成されているが、その転写ヘッドガイド穴２０ｏは、ボタンガイド溝２０ｎよりも小幅であって、長方形状を成している。そのボタンガイド溝２０ｎ内にあって、ボタンガイド溝２０ｎより後壁２０ｂ側には、コの字型のヒンジ溝２０ｐが、左壁２０ｄに開口した状態で転写具ケース上部２０の中央部付近まで形成されている。
そのヒンジ溝２０ｐの溝間には、円柱状の突起である解除ボタン部２０ｑが形成されている。尚、転写具ケース上部２０には、スライドボタン係止部２０ｒが、解除ボタン部２０ｑより右壁２０ｃ側であってヒンジ溝２０ｐで囲まれたボタンガイド溝２０ｎ近傍に長方形状を成して突設されている。
【００１２】
前記転写ヘッド７０は、長方体の板状を成しており、弾性変形が可能な材質を用いている。また、転写ヘッド７０の前方端部には、断面形状がほぼ三角形状の押圧部７０ａが形成されており、その押圧部７０ａとは反対側の端部付近には、円柱状に突設したテープ走行経路移動変更部材７０ｂと、バネ設置部７０ｃが配設されている。尚、そのバネ設置部７０ｃは、テープ走行経路移動変更部材７０ｂよりも、転写ヘッドの後方端部に配設されている。そのテープ走行経路移動変更部材７０ｂが配設されている面とは反対側であって、転写ヘッド７０のほぼ中央部であり、転写ヘッド７０の両側面のほぼ端部には、長方体形状のスライド突起７０ｄ、７０ｅが立設されている。そのスライド突起７０ｄ、７０ｅの上端部の内側には、ほぼ三角形状を成した係止突起７０ｆ、７０ｇが形成されている。
また、前記転写ヘッド７０の前方部の幅方向の両側部には、ほぼ三角形状を成したテープガイド７０ｈが形成されている。ちなみに、転写ヘッド７０の板厚は、ガイド溝１０ｍ、１０ｎよりも薄く、その幅は、ガイド溝１０ｍと１０ｎとで挟まれた幅よりも小さいものとなっており、ガイド溝１０ｍ、１０ｎ内で摺動し得るものとなっている。
尚、転写ヘッド７０と転写具ケース上部２０と転写具ケース下部１０とが組み付けられた際、転写ヘッド７０のスライド突起７０ｄ、７０ｅは、転写具ケース上部２０の転写ヘッドガイド穴２０ｏより突出された状態となる。
【００１３】
また、転写ヘッド７０と接続されるスライドボタン８０は、転写ヘッド７０と同様に、長方体の板状を成しており、弾性変形が可能な材質を用いている。そのスライドボタン８０は、長方体形状を成しており、そのスライドボタン８０の前方部には、長方形状の穴である転写ヘッド嵌合穴８０ａが形成されていると共に、転写ヘッド嵌合穴８０ａより挿入される転写ヘッド７０の係止突起７０ｆ、７０ｇと、転写具ケース上部２０のガイド溝２０ｏとで係止可能となっている。また、前記スライドボタン８０の底面にあって、中央部から後方にかけて、長方形の溝である係止溝８０ｂが開いている。尚、その係止溝８０ｂによって後方端部には、段差が形成される（スライドボタン係止部８０ｃ）。また、前記スライドボタンの係止溝８０ｂと反対側の面には、ボタン滑り止め部８０ｄがほぼ三角形状を成した複数の突起として形成され、中央部から両端部にかけて形成されている。
転写ヘッド７０には、引張コイルばね９０が係止しており、その引張コイルばね９０の両端部には、フック９０ａとフック９０ｂを有している。そのフック９０ａは、前記転写ヘッド７０のバネ設置部７０ｃと嵌合し、フック９０ｂは転写具ケース下部１０の引張りばね設置部１０ｔに嵌合されるように設計されている。
尚、本実施例では、転写具ケース下部１０、転写具ケース上部２０、巻取コア３０、繰出コア４０、ローラー５０、回転体６０、転写ヘッド７０、スライドボタン８０、引張コイルばね９０、転写テープＴの１０部品で構成されている。
【００１４】
次に、本実施例の作用について図４、図５を基に説明する。スライドボタン８０は、転写ヘッド嵌合穴８０ａより挿入される転写ヘッド７０の係止突起７０ｆ、７０ｇと、転写具ケース上部１０のガイド溝１０ｍ、１０ｎとで係止されているため、例えば、スライドボタン８０をケース開口部２に対して前後に摺動させると、転写ヘッド７０が転写具ケース１のケース開口部２から突出・没入する。ここで、転写ヘッド７０を突出する際は、スライドボタン８０をケース開口部２に向けてスライド操作するが、転写ヘッド７０の突出状態を保つため、スライドボタン８０のスライドボタン係止部８０ｃが転写具ケース上部２０のスライドボタン係止部２０ｒによって、後方へと転写ヘッド７０が収納されないようになっている。尚、転写ヘッド７０が転写具ケース１に収納されている際には、組み付けられている引張コイルばね９０は通常の状態を保っているが、転写ヘッド７０の突出に伴ってバネ設置部７０ｃもケース開口部２に向けて突出されるため、引張コイルばね９０は引張りばね設置部１０ｔとバネ設置部７０ｃとで引っ張られた状態となる。
次に、転写ヘッド７０を転写具ケース１内に収納させる際は、スライドボタン８０のスライドボタン係止部８０ｃと、転写具ケース上部２０のスライドボタン係止部２０ｒの係止を解除することで、転写ヘッド７０の突出の際に引っ張られた引張コイルばね９０が元に戻ろうとする力を利用して転写ヘッド７０を転写具ケース１に収納させる。その係止を解除する操作としては、解除ボタン部２０ｑを転写具ケース下部１０側に押し込むことによって、コの字型の溝であるヒンジ溝２０ｐの両端部を起点として撓ませ、それに連動して転写具ケース上部２０のスライドボタン係止部２０ｒも転写具ケース下部１０側に押し込まれるため、前記の係止が解除され、転写ヘッド７０が転写具ケース１内に収納される。
上記構成が故、転写ヘッド７０の突出時には、スライド操作で行うが、転写ヘッド７０収納時には解除ボタン部２０ｑを押すだけのワンタッチ操作で転写ヘッド７０を収納可能とするため、非常に簡便な操作で使用可能となっている。さらに、転写ヘッド７０を突出させる際は、スライド操作で行うため、仮に筆箱等の容器に入れて転写具を収納させていた場合であっても不用意に転写ヘッド７０が突出する心配がなく、転写ヘッド７０や、転写塗膜Ｓの傷付きを防止することが可能となっている。
【００１５】
例えば、転写塗膜の転写時において、繰出コア４０より繰出された転写テープＴは、テープ走行経路固定変更部材１０ｏに向かって送出され、ローラー５０の前壁１０ａ側の側面で折り返され、転写ヘッド７０のテープ走行経路移動変更部材７０ｂに向かう。また、この時に転写テープＴの転写塗膜Ｓ側が、ローラー５０の側面に接触する。そして、ローラー５０がテープ走行経路固定変更部材１０ｏに回転自在に軸支されていることにより、転写テープＴはスムーズに送り出されることになり、更に、転写塗膜Ｓ側が接触しても、塗膜面への傷付が防止される。そして、そのテープ走行経路移動変更部材７０ｂの後壁２０ｂ側の側面で転写テープＴ側は接触しながら折り返され、転写ヘッド７０の下面を通過し、転写ヘッド押圧部７０ａで転写テープＴ側が接触しながら折り返される。その折り返された転写テープＴは、転写ヘッド押圧部７０ａより、転写ヘッド７０の上面を通過し、スライド突起７０ｄ、７０ｅ間を通過しながらローラー５０の上部へと向かう。そして、ローラー５０上部の右壁２０ｃ側であって、後壁２０ｂ側の側面で折り返された転写テープＴは、巻取コア３０の巻取り部３０ｂによって巻き取られる構成となっている。
尚、この後壁２０ｂ側の側面で折り返されて接触するテープの面は、転写テープＴ側であっても、転写塗膜Ｓ側であっても良いが、塗膜への傷付がない転写テープＴ側が望ましい。
【００１６】
ここで、転写具ケース１に転写ヘッド７０を収納させる際には、解除ボタン部２０ｑを転写具ケース下部１０側へと押し込み、スライドボタン８０をボタンガイド溝２０ｎに沿って転写具ケース１の後方へ移動させる。この時、転写ヘッド７０に形成されているテープ走行経路移動変更部材７０ｂもスライドボタン８０と連動して後退し、同時に、テープ走行経路移動変更部材７０ｂを介している転写テープＴは転写具ケース１内に収納される。
更に、その際、テープ走行経路移動変更部材７０ｂとテープ走行経路固定変更部材１０ｏとの間にある転写テープＴもテープ走行経路移動変更部材７０ｂの後退により離間距離が生まれるため、転写テープＴは転写具ケース１内に収納される。また、この時、転写テープＴの収納時においても、巻取コア３０の係合爪３０ｆが、放射状溝２０ｌと係合しているため、巻取り方向とは逆に回転することが防止され、転写テープＴは巻取らない。
故に、転写ヘッド７０を転写具ケース１に収納すると、テープ走行経路移動変更部材７０ｂが後退し、そのテープ走行経路固定変更部材１０ｏを介していた転写テープＴは、テープ走行経路移動変更部材７０ｂによって引っ張られた距離と、テープ走行経路移動変更部材７０ｂとテープ走行経路固定変更部材１０ｏとの離間距離とで引っ張られ、転写テープＴは収納される。即ち、テープ走行経路移動変更部材７０ｂの移動距離に対して、転写テープＴはほぼ２倍の距離を移動し収納されることになる。
【００１７】
この引っ張り動作によって、転写ヘッド７０の下部に位置していた転写テープＴに対して貼り付けられている転写塗膜Ｓが転写ヘッド７０の後方に収納される。この構成が故、繰出コア４０から繰出され、テープ走行経路固定変更部材１０ｏを軸とするローラー５０を介し、テープ走行経路移動変更部材７０ｂを介して、転写ヘッド７０の押圧部７０ａで折り返され、スライド突起７０ｄ、７０ｅ間を通り、ローラー５０上部を介して、巻取コア３０の巻取り部３０ｂにより巻き取られる転写テープＴの長さは、転写ヘッド７０の没入操作時においても弛むことなく一定である。
尚、転写テープＴは、出没動作時において常に弛むことのない状態であり、前記に記述した転写ヘッド７０の収納時に転写ヘッド７０の下部に位置していた転写テープＴに対して貼り付けられている転写塗膜Ｓが転写ヘッド７０の後方に収納される構成が故に、転写塗膜Ｓの傷付を防ぐ。それと同時に、押圧部７０ａで転写塗膜Ｓが付着している転写テープＴが干渉しないため、転写テープＴから転写塗膜Ｓの塗膜剥離も防止している。
また、転写ヘッド７０の出没時に、転写テープＴは常に弛むことがないため、転写ヘッド７０を転写具ケース１に収納する際は、転写ヘッド７０をケース開口部２の端部に収納可能である。つまり、転写ヘッド７０がケース開口部２の端部にあっても、転写テープＴが転写具ケース１中に収納されているため、転写テープＴは保護されている。
また、上記構成であるため、転写ヘッド７０を転写具ケース１内に収納させることができ、転写具ケース１のスリム化が図れるメリットもある。
【００１８】
また、転写ヘッド７０をケース開口部２から突出させた場合、転写ヘッド７０の下部後方に位置していた転写塗膜Ｓが、転写ヘッド７０の押圧部７０ａの突出操作によって転写具ケース１に収納されていた転写テープＴとともに転写ヘッド７０の先端部（押圧部７０ａ）まで引き出される。これは、前記に記述した転写ヘッド７０を転写具ケース１に収納すると、テープ走行経路移動変更部材７０ｂが後退し、そのテープ走行経路移動変更部材７０ｂを介していた転写テープＴは、テープ走行経路移動変更部材７０ｂによって引っ張られた距離と、テープ走行経路移動変更部材７０ｂとテープ走行経路固定変更部材１０ｏとの離間距離とで、転写テープＴが収納されるからであり、元々転写ヘッド７０の上部、下部に位置していた転写テープＴのみを転写具ケース１内に収納させているからである。
更に言えば、転写ヘッド７０の突出動作時には、転写具ケース１内に収納させた転写テープＴのみを転写ヘッド７０の押圧部７０ａにて突出させているため、転写ヘッド７０が突出状態の際、転写塗膜Ｓは、常にその塗膜位置が転写ヘッド７０の先端にくるように構成されている。また、転写テープＴの繰出コア４０に対する巻付け径が巻取コア３０より小さいため、繰出コア４０からのテープ引出し速度よりも巻取コア３０によるテープ巻取り速度が速くなり、常に巻取コア３０が繰出コア４０よりも多く転写テープＴを巻き取る働きをしている。その結果、使用済みの転写テープＴを巻取コア３０に確実に巻取ることができるようになっている。
【００１９】
また、本機構で転写物（塗膜）を転写する場合には、一般的な転写具と同様、転写具ケース１を把持し、転写ヘッド７０を転写対象面に接地させて転写させる動作の他に、回転体６０を搭載した機構であるが故、回転体６０と転写ヘッド７０の２部材を接地させて安定した状態で転写作業を行うことができる。
さらに、その回転体６０と転写ヘッド７０の２部材を接地させたため、そして、回転体６０がケースの幅とほぼ同等の長さを有しているため、転写対象面に対して回転接地部６０ａが線接触することになる。ここで、回転体６０は、転写対象面に接地させた際に初めて回転するが、取付位置の構成上、その方向は転写する方向にのみ回転し、スムーズな転写作業を行うことができる。尚、転写する方向と直交する方向に対しては、回転する事がないので、仮に、直交方向に力が作用したとしても、接地面から常に摩擦力を受け続けているため、その移動（転写する方向と直行する方向）が阻止される。
すなわち、転写作業時における回転体６０の回転接地部６０ａが受ける摩擦抵抗が大きくなり、転写する進行方向と直交する方向への移動が抑制され、直線状の動作で転写作業を行うことができるので、例えば、本実施例のように修正テープである場合は、印刷物の直線状の文字列や直線状の罫線などを正確に修正することが出来る。そのため、修正を行う場合に文字列などが転写物（塗膜）から露出してしまうことがなく、誤って修正出来ないことが防止され、再度同じ箇所を修正する必要がなくなる。これによって、転写塗膜Ｓの無駄を減らすことができ、かつ外観上も綺麗な転写塗膜Ｓを得ることが出来る。
尚、図６に示すように転写対象面と接触する部分の回転接地部６０ａの表面Ｈに、例えば、シリコーンゴムのようなゴム状弾性体を用いると、転写作業時の押圧力で回転体６０の表面Ｈが変形するため、接地する部分は面接触することになる。その結果、転写対象面との接触面積が増加するため、硬質な回転接地部６０ａだけの場合に比べ、より強い摩擦抵抗を受けることができ、更に転写具の直進性を向上させることができる。
以上、本実施例において、転写具の構成には特に限定はないが、少なくとも筐体、送出軸部、巻取軸部、及び転写部を備えた転写具で採用すればよい。また、消耗部材、つまり転写媒体を塗布した基材と、その周辺部品のみを交換する、いわゆる、カートリッジ式の転写具に採用しても上記と同等の作用効果を得ることができる。
【００２０】
以上の構成が基本的な構成であるが、さらに具体的に説明する。前記転写具ケース１は、アクリロニトリル・スチレン共重合樹脂、アクリルニトリル・ブジタエン・スチレン共重合体、強化ポリエチレンテレフタレート、ポリカーボネート樹脂、ポリスチレン、メタクリル樹脂などの樹脂成型品となっている。また、転写具ケース１を構成する肉厚としては、０．５ｍｍ〜２．０ｍｍの範囲が好ましい。ちなみに、２．０ｍｍを超えてしまうと、成形後にその成形品が冷えにくくなってしまい、厚みが０．５ｍｍ未満であると、強度が損なわれてしまう危険性がある。
前記転写テープＴは、基材としての合成樹脂の転写テープＴの表面に、文字修正用塗膜、装飾用着色塗膜、接着用粘着膜、蛍光塗膜等の接着性を有する転写塗膜Ｓを備えている。
その転写テープＴは、繰出コア４０に巻付けられており、繰出コア４０から繰出された転写テープＴを、前記転写ヘッド７０によって転写テープＴの裏面側から紙等の被転写面に押圧して、転写塗膜Ｓを被転写面に転写するのである。また、その転写ヘッド７０を通過した後の使用済みの転写テープＴ（基材である転写テープ）は、巻取コア３０によって巻取られる。尚、前記転写ヘッド７０には、摺動性、耐久性、柔軟性を加味し、ポリアセタール樹脂、ポリプロピレン樹脂、金属（ステンレス、真鍮、ピアノ線等）等の素材を用いるのが好ましい。
前記繰出コア４０、巻取コア３０、及びローラー５０、回転体６０の材質としては、摺動性、耐久性のあるポリアセタール樹脂、ポリプロピレン樹脂、ポリブチレンテレフタレート、アクリロニトリル・スチレン共重合樹脂、アクリルニトリル・ブジタエン・スチレン共重合体、強化ポリエチレンテレフタレート、ポリカーボネート樹脂、ポリスチレン、メタクリル樹脂などの樹脂材料を用いるのが好ましい。
【００２１】
次に、図７、図８、図９の図面に基づき第２実施形態の転写具の構成について説明する。実施例２の転写具では、実施例１と同様に、転写テープＴを巻回、保持する繰出コア４０と、使用後は同様に転写テープを巻回、収納する巻取コア３０を内装してなる転写具ケース１と、転写テープＴを転写対象面に転写するための転写ヘッド７０から構成された転写具である。
本転写具において転写を行う際には、繰出コア４０に巻回されている転写テープＴが、転写ヘッド７０に向かって送出され、巻取コア３０の下部を通過し、転写ヘッド７０下方を通り、転写ヘッド７０の押圧部７０ａで折り返される。この時、転写ヘッド７０には転写テープＴの基材テープ側が接触し、その基材テープの逆側に転写塗膜Ｓがあるため、転写塗膜Ｓを傷めないように設定されている。そして、転写ヘッド押圧部７０ａで折り返された転写テープＴは、巻取コア３０に巻き取られ収納されるような構成となっている。
また、その転写具の底面にあって、転写ケース１の開口部近傍のほぼ両端部には、転写面に対して転写する場合の転写方向に対して、徐々に幅狭となり、その底面の形状が長方体状の逆「ハ」の字型の突起１００が形成されている。さらに、その逆「ハ」の字の底面であって、転写具ケース１の両側面と対向する辺である長辺１００ａの長さは、その長辺１００ａと直交する短辺１００ｂよりも長く形成されている。ちなみに、その長辺１００ａは短辺１００ｂの約３倍の長さを有しており、また、長辺１００ａと転写具ケース１の側面で成される角度は３０度となっている。尚、本実施例では、長辺１００ａは短辺１００ｂの約３倍の長さとなっているが、その長辺１００ａは短辺１００ｂよりも長く形成されていればよく、また、長辺１００ａと転写具ケース１の側面で形成される角度も、０度より大きく４５度未満の範囲であれば良い。
尚、逆「ハ」の字型の突起１００の形状は種々考えられ、転写時にその逆「ハ」の字型の突起１００と転写ヘッド７０を接地させた際の接地面が、逆「ハ」の字型の面であればよい。また、転写時にその逆「ハ」の字型の突起１００の接地部は、転写対象物（面）との接触によって摩擦力を受けることとなる。
【００２２】
次に、本実施例の作用について説明する。本転写具では、転写時において、繰出コア４０より繰出された転写テープＴは、転写ヘッド７０へと送出され、転写ヘッド７０の下面を通過して、転写ヘッド押圧部７０ａで転写テープＴ側が接触しながら折り返される。その折り返された転写テープＴは、転写ヘッド押圧部７０ａより、転写ヘッド７０の上面を通過し、巻取コア３０へと向かい、巻取コア３０の巻取り部３０ｂによって巻き取られる構成となっている。
また、実施例１と同様にして、本機構で転写塗膜Ｓを転写する場合には、一般的な転写具と同様、転写具ケース１を把持し、転写ヘッド７０を転写対象面に接地させて転写させる。この時、転写具の底面には、逆「ハ」の字型の突起１００が形成されているため、その逆「ハ」の字型の突起１００と転写ヘッド７０の３個所を接地させた状態で転写作業を行うことができる。
ちなみに、その逆「ハ」の字型の突起１００と転写ヘッド７０の３箇所を接地させて転写を行うと、その転写対象面には、転写荷重により、逆「ハ」の字型の溝が僅かながらではあるものの形成される。そして、その形成された逆「ハ」の字型の溝に対して、順次、その溝を形成しながら転写具の突起１００が摺動することなる。その摺動動作において、突起１００が受ける摩擦力の力は、左右の突起１００の力のベクトル方向が転写具の中心部へと向けられるため、蛇行することなく、直進的に転写を行うことができる。
尚、本実施例では、転写具の底面に逆「ハ」の字型の突起１００を設けているが、その対向する突起１００を平行に、且つ、直線状に設けても良い。その場合は、転写時の初めに、転写荷重がかかった転写対象面に直線状の溝がその対向する位置に形成され、その直線状の溝に沿って前記突起１００が案内されると共に、その突起１００によって更なる溝が順次形成される。つまり、転写具は、その直線状の溝に沿って摺動するため、直進的に転写を行うことができる。
尚、本実施例では、転写具の底面に逆「ハ」の字型の突起１００を設けているが、「ハ」の字型にすると共に、その「ハ」の字型の突起１００に回転体を具備させても良い。回転体を具備させることによって、転写の際、その回転体が各々転写具ケースの中心へと向かって回転・進行するため、直進的に転写を行うことができる。
【００２３】
次に、図１０、図１１の図面に基づき第３実施形態の転写具の構成について説明する。前記実施例２と同様な構成については、その説明を省略する。
転写具の底面には、一個以上の複数の突起１１０が形成されている。その複数の突起１１０の形状は、直方体形状を成しており、その底面は、転写方向よりも、転写具ケース１に対する幅方向の辺が短い形状をなしている。また、突起１１０は、弾性変形可能な薄肉形状をしており、転写具ケース１の幅方向に押圧荷重をかけると、突起１１０は転写具ケース１の幅方向に弾性変形し易くなっている。また、突起１１０の長さは、転写方向へと変形しない程度の長さを有している。尚、突起１１０は転写具ケース１と射出成型などの手段によって一体成形されており、その樹脂材質としては、ポリアセタール樹脂、ポリプロピレン樹脂、ポリブチレンテレフタレート、アクリロニトリル・スチレン共重合樹脂、アクリルニトリル・ブジタエン・スチレン共重合体、強化ポリエチレンテレフタレート、ポリカーボネート樹脂、ポリスチレン、メタクリル樹脂等が例示される。即ち、転写対象面に対して、滑りやすい樹脂を使用することが好ましい。
また、転写具ケース１の天面であって、転写ヘッド７０の近傍には、転写する際の押圧部の目印として、押圧目印Ｍが円柱形状を成して立設されている。本実施例に於いて、その押圧目印Ｍは、突起として形成されているが、押圧目印Ｍは凹凸形状であっても良いし、模様であっても良い。
【００２４】
次に、本実施例の作用について説明する。実施例２と同様にして、本機構で転写塗膜Ｓを転写する場合には、一般的な転写具と同様、転写具ケース１を把持し、転写ヘッド７０を転写対象面に接地させて転写させる。この時、転写具ケース１の底面には、複数の突起１１０が形成されているため、その複数の突起１１０と転写ヘッド７０の複数の個所が転写対象面と接触した状態で転写作業がなされる。その突起１１０と転写ヘッド７０の複数点を接地させて転写を行うと、転写する方向に対しては、スムーズに塗膜転写具が移動する。しかし、万が一、転写方向と直交する方向に力が作用してしまった場合には、転写荷重により、転写対象面に接触している突起１１０が前記転写方向と直交する方向へと弾性変形し、倒れ込み、転写対象面に対する接地面積が増加する。つまり、その接地面積の増加により、転写対象面から受ける摩擦抵抗が大きくなり、転写する方向と直交する方向への移動が抑制されると共に、転写方向への移動も抑制される。ここで、使用者は、直線的な動作が得られないことに気が付き、塗布具を元の状態、即ち、直線的な動作が得られるように力を掛け直す。この時、弾性変形した突起１１０は、自らの弾性復元力によって復元し、すぐに転写作業を開始することができる。
尚、その突起１１０の側面にシリコーンゴムやウレタンゴム等のゴム状弾性体のような摩擦係数が高い材質を形成しても良い。突起１１０が変形した際に、転写対象面に対する摩擦係数が高くなり、更に、転写方向と直交する方向への移動が抑制され、より直線的な動作で転写作業を行うことができるようになる。
また、本実施例では、転写する際の押圧部の目印として、押圧目印Ｍが転写荷重の伝達を良くするために配設されているため、その目印に荷重をかけることで、転写対象面に対する転写物の密着性を向上させることが出来る。
【００２５】
次に、図１２の図面に基づき第４実施形態の転写具の構成について説明する。前記実施例２と同様な構成については、その説明を省略する。転写ケース１には、直進ガイド１３０が設けられている。その直進ガイド１３０は、転写具ケース１の両側面に形成された円柱状のスライド突起１２０と係合している。以下、直進ガイド１３０について詳述する。直進ガイド１３０は、長方体であって、その底部には板状の直進ガイド板部１３０ａを有しており、その両端には、ほぼ三角形状の突起であるスライド板１３０ｂ、１３０ｃがそれぞれ形成されている。そのスライド板１３０ｂ、１３０ｃには、それぞれ楕円形状の穴であるスライド穴１３０ｄ、１３０ｅが形成されており、前記転写具ケース１のスライド突起１２０が摺動自在に係合されている。また、スライド板１３０ｂ、１３０ｃで挟まれた直進ガイド板部１３０ａには、長方形状の転写穴１３０ｆが形成されているが、直進ガイド板部１３０ａよりは一回り小さく形成されている。そして、その転写穴１３０ｆ内を前記転写ヘッド７０が挿通し得るものとなっている。
【００２６】
次に、本実施例の作用について説明する。実施例２と同様にして、本機構で転写対象物（塗膜）Ｓを転写する場合には、一般的な転写具と同様、転写具ケース１を把持し、転写ヘッド７０を転写対象面に接触させて転写させる。しかし、本実施例においては、直進ガイド１３０が配置されているため、その直進ガイド１３０を転写対象面に接触させた状態で転写動作を行うことができる。即ち、直進ガイド板部１３０ａと転写ヘッド７０を転写対象面に対して同時に接触させた状態で転写作業を行うことができる。以下、具体的に説明する。最初に、転写を行いたい個所に直進ガイド１３０を位置させると同時に、転写穴１３０ｆも位置決めする。次いで、塗膜具ケース１の転写ヘッド７０の先端を、前記塗膜した箇所の先端部に位置決め・接触させる。この時、塗膜具ケース１のスライド突起１２０が長孔であるスライド穴１３０ｄ、１３０ｅに係合しているため、その塗膜ケース１は直進ガイド１３０によってガイドされた状態で移動させることができる。次いで、そのガイドされた状態の塗膜ケース１を塗膜する方向に移動させれば、塗膜ケース１が直線的に移動し、その直線的な移動に伴って、転写対象物も直線的に転写される。
【００２７】
次に、図１３、図１４、図１５の図面に基づき第５実施形態の転写具の構成について説明する。前記実施例１と同様な構成については、その説明を省略する。この第５実施例は、回転体６０の形状、及び、転写具ケース下部１０の一部が、前記第１実施例と異なる。以下、具体的に説明する。転写具ケース下部１０の外観底面であって、壁１０ｐ、１０ｑの近傍には弾性変形が可能な突状の係合部１４０がそれぞれ立設されており、その係合部１４０の先端には係合爪１４０ａが形成されている。また、回転体６０は、円柱形状の回転接地部６０ａを成しており、その回転接地部６０ａの両端には、回転軸６０ｂ、６０ｃが形成されている。その回転軸６０ｂ、６０ｃは、前記回転軸支部１０ｒ、１０ｓに回転自在に軸支されている。
さらに、回転接地部６０ａの両端の外周面には、逆転防止ギア６０ｄ、６０ｅが放射状の溝として形成されており、前記係合爪１４０ａと係合に係合されている。尚、その係合が、回転体６０が一方向にしか回転できないように、所謂、ラチェット機構をなしている。つまり、逆転防止ギア６０ｄ，６０ｅがラック、係合爪１４０ａが爪の役割を果たしている。
具体的に説明すると、前記逆転防止ギア６０ｄ，６０ｅは、歯車形状をなしているが、一般的な歯車形状とは異なり、転写方向とは逆の方向に歯が傾けられた状態で形成されている。また、前記の係合爪１４０ａは、常に逆転防止ギア６０ｄ，６０ｅにもたれ掛かるように配置されている。これによって、回転体６０が転写する方向に回転した場合には、係合爪１４０ａが逆転防止ギア６０ｄ，６０ｅに係合せず、その結果、回転体６０のスムーズに回転が得られ、万が一、回転体６０が逆回転しようとすると、係合爪１４０ａが逆転防止ギア６０ｄ，６０ｅに係合・食い込み、その回転体６０の逆回転が防止される。
【００２８】
次に、本実施例の作用について説明する。実施例１と同様にして、本機構で転写物を転写する場合には、一般的な転写具と同様、転写具ケース１を把持し、転写ヘッド７０を転写対象面に接地させて転写させる。この時、回転体６０を配置しているため、その回転体６０と転写ヘッド７０の２部品を転写対象面に接触させることができ、安定した状態で転写作業を行うことができる。また、その回転体６０と転写ヘッド７０の２部材を接触させているため、そして、回転体６０がケースの幅とほぼ同等の長さを有しているため、転写対象面に対して回転接地部６０ａが線接触することになる。すなわち、転写作業時における回転体６０の回転接地部６０ａが受ける摩擦抵抗が大きくなり、転写する方向と直交する方向への移動が抑制され、直線状の動作が得られるようになり、その結果、直線状の転写作業を行うことができる。もって、本実施例のように、例えば、修正テープである場合は、印刷物の直線状の文字列や直線状の罫線などを正確に修正することが出来る。そのため、修正を行う場合に文字列などが転写塗膜から露出してしまうことがなく、誤って修正出来ないことが防止され、再度同じ箇所を修正する必要がなくなる。これによって、転写対象物（塗膜）Ｓの無駄を減らすことができ、かつ外観上も綺麗な転写塗膜Ｓを得ることが出来る。
これに加え、本実施例においては、逆転防止機構が配置されているため、即ち、回転体６０に設けられた逆転防止ギア６０ｄ、６０ｅと、転写具ケース下部１０に設けられた係合爪１４０ａが係脱可能に係合しているため、転写する方向のみしか回転体６０は回転せず、その結果、転写物が容易に、しかも、綺麗に切断することができるものとなっている。
ちなみに、逆転防止機構を配置していない転写具にあっては、転写作業の最後に、転写具ケースを転写方向とは逆の方向に移動させてしまう危険性があり、その逆方向への移動によって、転写物が汚く切断されてしまうばかりでなく、余分に転写物を転写ケースから引き出してしまう危険性がある。
【符号の説明】
【００２９】
１    転写具ケース
２    ケース開口部
３    転写具ケース
４    ケース開口部
Ｔ    転写テープ
Ｓ    転写塗膜
Ｈ    表面
Ｍ    押圧目印
１０    転写具ケース下部
１０ａ  前壁
１０ｂ  後壁
１０ｃ  右壁
１０ｄ  左壁
１０ｅ  底壁
１０ｆ  回転軸
１０ｇ  組み付け部
１０ｈ  組み付け部
１０ｉ  組み付け部
１０ｊ  ケース下部開口部
１０ｋ  ガイドレール
１０ｌ  ガイドレール
１０ｍ  ガイド溝
１０ｎ  ガイド溝
１０ｏ  テープ走行経路固定変更部材
１０ｐ  平行な壁
１０ｑ  平行な壁
１０ｒ  回転軸支部
１０ｓ  回転軸支部
１０ｔ  引張りばね設置部
２０    転写具ケース上部
２０ａ  前壁
２０ｂ  後壁
２０ｃ  右壁
２０ｄ  左壁
２０ｅ  底壁
２０ｆ  組み付け部
２０ｇ  組み付け部
２０ｈ  組み付け部
２０ｉ  組み付け部
２０ｊ  組み付け部
２０ｋ  逆転防止部材
２０ｌ  放射状溝
２０ｍ  ケース上部開口部
２０ｎ  ボタンガイド溝
２０ｏ  転写ヘッドガイド穴
２０ｐ  ヒンジ溝
２０ｑ  解除ボタン部
２０ｒ  スライドボタン係止部
３０    巻取コア
３０ａ  スリップ部
３０ｂ  巻取り部
３０ｃ  円柱部材
３０ｄ  係合部
３０ｅ  「コ」の字型の溝
３０ｆ  係合爪
４０    繰出コア
５０    ローラー
６０    回転体
６０ａ  回転設置部
６０ｂ  回転軸
６０ｃ  回転軸
６０ｄ  逆転防止ギア
６０ｅ  逆転防止ギア
７０    転写ヘッド
７０ａ  押圧部
７０ｂ  テープ走行経路移動変更部材
７０ｃ  バネ設置部
７０ｄ  スライド突起
７０ｅ  スライド突起
７０ｆ  係止突起
７０ｇ  係止突起
７０ｈ  テープガイド
８０    スライドボタン
８０ａ  転写ヘッド嵌合穴
８０ｂ  係止溝
８０ｃ  スライドボタン係止部
８０ｄ  ボタン滑り止め部
９０    引張コイルばね
９０ａ  フック
９０ｂ  フック
１００    逆「ハ」の字型の突起
１００ａ  長辺
１００ｂ  短辺
１１０    複数の突起
１２０    スライド突起
１３０    直進ガイド
１３０ａ  直進ガイド板部
１３０ｂ  スライド板
１３０ｃ  スライド板
１３０ｄ  スライド穴
１３０ｅ  スライド穴
１３０ｆ  転写穴
１４０    係合部
１４０ａ  係合爪
【図１】
2011073182.tif 000003
【図２】
2011073182.tif 000004
【図３】
2011073182.tif 000005
【図４】
2011073182.tif 000006
【図５】
2011073182.tif 000007
【図６】
2011073182.tif 000008
【図７】
2011073182.tif 000009
【図８】
2011073182.tif 000010
【図９】
2011073182.tif 000011
【図１０】
2011073182.tif 000012
【図１１】
2011073182.tif 000013
【図１２】
2011073182.tif 000014
【図１３】
2011073182.tif 000015
【図１４】
2011073182.tif 000016
【図１５】
2011073182.tif 000017